(57)【要約】【課題】脱着操作性を損なうことなく、輸送時等における振動や落下による衝撃によって二重環蛍光ランプが脱落するのを防止できる照明器具を提供する。【解決手段】器具本体２０内において反射板２６の前方に二重環蛍光ランプ３０を支持するランプ支持バネ４０は、二重環蛍光ランプ３０のガラス管３１、３２を外側から挟持する外側支持片４１と、内側から挟持する内側支持片４２とを有する。そして、外側支持片４１のガラス管３１に対する掛り代の範囲Ｒ１と内側支持片４２のガラス管３２に対する掛り代の範囲Ｒ２とが非対称となっているので、ランプ脱着性能を損なうことなくランプ保持力を増すことができ、別途部品を用いることなく輸送時等の振動や落下による衝撃によって二重環蛍光ランプ３０が脱落するのを防止することができる。【選択図】図２
2011154812.tif 000002
【特許請求の範囲】
【請求項１】
器具本体と、光源である二重環蛍光ランプと、前記二重環蛍光ランプの照射光を反射する反射板と、前記二重環蛍光ランプを両側から挟んで前記反射板の前方に支持するランプ支持バネとを有し、
前記ランプ支持バネは前記二重環蛍光ランプのガラス管を外側から挟持する外側支持片および内側から挟持する内側支持片を有するとともに、前記内側支持片の前記ガラス管に対する掛り代の範囲と前記外側支持片の前記ガラス管に対する掛り代の範囲とが非対称であることを特徴とする照明器具。
【請求項２】
前記内側支持片および前記外側支持片のうちの一方は前記ガラス管の頂上付近まで延在し、他方は前記ガラス管の頂上付近まで延在しないことを特徴とする請求項１記載の照明器具。
【請求項３】
前記ランプ支持バネを複数個有し、前記外側支持片の掛り代の範囲と前記内側支持片の掛り代の範囲とが他のランプ支持バネとは反対のランプ支持バネを少なくとも１個有することを特徴とする請求項１または２記載の照明器具。
【発明の詳細な説明】
【技術分野】
【０００１】
本発明は、光源として二重環蛍光ランプを用いた照明器具に関するものである。
【背景技術】
【０００２】
従来より、光源として二重環蛍光ランプを用いた照明器具が知られている（例えば特許文献１参照）。
図５に示すように、特許文献１に記載の照明器具１００は、二重環蛍光ランプ１０１が用いられており、器具本体１０２に設けられている複数個のランプ支持バネ１０３によって支持されている。ランプ支持バネ１０３は弾性を有する金属板により形成されており、二重環蛍光ランプ１０１の内側のガラス管１０１ａの内周側を支持する内側支持片１０３ａと、外側のガラス管１０１ｂの外周側を支持する外側支持片１０３ｂとを有する。
【０００３】
従って、一対の支持片１０３ａ、１０３ｂの先端部（図において下端部）を押し広げるようにして二重環蛍光ランプ１０１を装着すると、ランプ支持バネ１０３の両支持片１０３ａ、１０３ｂはその弾性力により互いに接近する方向へ付勢され、二重環蛍光ランプ１０１を両側から挟んで支持する。
【０００４】
なお、二重環蛍光ランプ１０１の外周側において、二重環蛍光ランプ１０１と器具本体１０２との間に、親指以外の４本の指が挿入可能な空間Ｓが設けられており、二重環蛍光ランプ１０１を器具本体１０２から着脱する際に、親指と４本の指とで把持することができ、二重環蛍光ランプ１０１の着脱を容易にしている。
【先行技術文献】
【特許文献】
【０００５】
【特許文献１】特開２００３−２１７３３３号公報（第１図）
【発明の概要】
【発明が解決しようとする課題】
【０００６】
ところで、前述した特許文献１に記載の照明器具１００のような二重環蛍光ランプ１０１を用いた照明器具においては、輸送時等における振動や落下による衝撃によって二重環蛍光ランプ１０１がランプ支持バネ１０３から脱落するのを防止することが望まれる。このため、従来より梱包時に二重環蛍光ランプ１０１をテープにより固定したり、ランプ支持バネ１０３による保持力を高めることが行われている。
【０００７】
しかしながら、テープを用いる場合には、別途テープが必要となり、コストの面および作業工数の面で好ましくない。また、ランプ支持バネ１０３の保持力を高める場合にはランプ支持バネ１０３のガラス管１０１ａ、１０１ｂに対する掛り代を増す必要があり、これによって二重環蛍光ランプ１０１の脱着操作性が損なわれるという問題があった。
【０００８】
本発明は、従来の問題を解決するためになされたもので、脱着操作性を損なうことなく、輸送時等における振動や落下による衝撃によって二重環蛍光ランプが脱落するのを防止できる照明器具を提供することを目的とする。
【課題を解決するための手段】
【０００９】
本発明の照明器具は、器具本体と、光源である二重環蛍光ランプと、前記二重環蛍光ランプの照射光を反射する反射板と、前記二重環蛍光ランプを両側から挟んで前記反射板の前方に支持するランプ支持バネとを有し、前記ランプ支持バネは前記二重環蛍光ランプのガラス管を外側から挟持する外側支持片および内側から挟持する内側支持片を有するとともに、前記外側支持片の前記ガラス管に対する掛り代の範囲と前記内側支持片の前記ガラス管に対する掛り代の範囲とが非対称である構成を有している。
【００１０】
この構成により、器具本体内において反射板の前方に二重環蛍光ランプを支持するランプ支持バネは、二重環蛍光ランプのガラス管を外側から挟持する外側支持片と、内側から挟持する内側支持片とを有する。そして、外側支持片のガラス管に対する掛り代の範囲と内側支持片のガラス管に対する掛り代の範囲とが非対称となっているので、ランプ脱着性能を損なうことなく、ランプ保持力を増すことができる。これにより、別途部品を用いることなく、輸送時等の振動や落下による衝撃によって二重環蛍光ランプが脱落するのを防止することができる。
【００１１】
また、本発明の照明器具は、前記外側支持片および前記内側支持片のうちの一方は前記ガラス管の頂上付近まで延在し、他方は前記ガラス管の頂上付近まで延在しない構成を有している。
【００１２】
この構成により、外側支持片および内側支持片のうちの一方はガラス管の頂上付近まで延在し、他方はガラス管の頂上付近まで延在しないので、ランプ脱着性能を損なうことなくランプ保持力を増すことができ、別途部品を用いることなく輸送時等の振動や落下による衝撃によって二重環蛍光ランプが脱落するのを防止することができる。
【００１３】
さらに、本発明の照明器具は、前記ランプ支持バネを複数個有し、前記外側支持片の掛り代の範囲と前記内側支持片の掛り代の範囲とが他のランプ支持バネとは反対のランプ支持バネを少なくとも１個有する構成を有している。
【００１４】
この構成により、複数個のランプ支持バネのうち、少なくとも１個は、外側支持片の掛り代の範囲と内側支持片の掛り代の範囲とが他のランプ支持バネとは反対になっているので、個々のランプ支持バネの掛り代が少なくても、全体として掛り代を確保することができ、ランプ脱着性能を損なうことなく、ランプ保持力を増すことができる。
【発明の効果】
【００１５】
本発明は、器具本体内において反射板の前方に二重環蛍光ランプを支持するランプ支持バネは、二重環蛍光ランプのガラス管を外側から挟持する外側支持片と、内側から挟持する内側支持片とを有する。そして、外側支持片のガラス管に対する掛り代の範囲と内側支持片のガラス管に対する掛り代の範囲とが非対称となっているので、ランプ脱着性能を損なうことなくランプ保持力を増すことができ、別途部品を用いることなく輸送時等の振動や落下による衝撃によって二重環蛍光ランプが脱落するのを防止することができるという効果を有する照明器具を提供できる。
【図面の簡単な説明】
【００１６】
【図１】（Ａ）は本発明の第１実施形態に係る照明器具を示す平面図、（Ｂ）は（Ａ）中Ｂ−Ｂ位置の拡大断面図
【図２】ランプ支持バネの正面図
【図３】本発明の第２実施形態に係る照明器具におけるランプ支持バネの正面図
【図４】（Ａ）は本発明の第３実施形態に係る照明器具においてランプ支持バネの配置を示す平面図、（Ｂ）は（Ａ）中ランプ支持バネ４０Ｂの断面図、（Ｃ）は（Ａ）中ランプ支持バネ４０Ｃの断面図
【図５】（Ａ）は従来の照明器具の断面図、（Ｂ）は（Ａ）中Ｂ位置の拡大図
【発明を実施するための形態】
【００１７】
（第１実施形態）
以下、本発明の第１実施形態の照明器具について、図面を用いて説明する。
図１に示すように、本発明に係る第１実施形態の照明器具１０は、被取付部である例えば天井１１に取り付けられる器具本体２０と、この器具本体２０に着脱可能に装着される光源である二重環蛍光ランプ３０を有する。
【００１８】
器具本体２０は円板状の天板２１を有しており、例えば天井１１に取り付けられた引っ掛けシーリング（図示省略）に直接あるいはアダプタを介して取り付けられる。天板２１には電子式安定器２２が取り付けられており引っ掛けシーリングを介して商用電源に接続される。電子式安定器２２は天板２１に取り付けられているランプソケット２３に電気的に接続されており、ランプソケット２３を介して二重環蛍光ランプ３０に点灯電力を供給する。なお、ランプソケット２３は、二重環蛍光ランプ３０を支持する役目も果たしている。
【００１９】
また、天板２１には、二重環蛍光ランプ３０の光を所定の方向へ反射する反射板２６が取り付けられており、反射板２６における天板２１の中心を中心とする同心円上に、二重環蛍光ランプ３０を保持する複数個のランプ支持バネ４０が取り付けられている。また、天板２１の外周縁部には、二重環蛍光ランプ３０の前方を覆う透光性のカバー２４を取り付けるための複数個のカバー取付具２５が設けられている。
【００２０】
図２にも示すように、二重環蛍光ランプ３０は外側のガラス管を有する外側ランプ３１と内側のガラス管を有する内側ランプ３２を同心円状に有しており、外側ランプ３１および内側ランプ３２は所定間隔で連結部３３により一体的に連結されている。なお、連結部３３の一つは、ランプソケット２３に装着されて電力の供給を受けるプラグ（図示省略）となっている。
【００２１】
図２に示すように、ランプ支持バネ４０は、外側ランプ３１を支持する外側支持片４１と、内側ランプ３２を支持する内側支持片４２と、外側支持片４１および内側支持片４２を連結するとともに器具本体２０の天板２１または反射板２６に取り付けられる連結部４３とを有する。外側支持片４１および内側支持片４２はそれぞれ、連結部４３に連続する支持部４１ａ、４２ａと、支持部４１ａ、４２ａの先端に連続し二重環蛍光ランプ３０を保持するランプ保持部４１ｂ、４２ｂと、ランプ保持部４１ｂ、４２ｂの先端を互いに離反する方向へ折り曲げた導入部４１ｃ、４２ｃとを有する。
【００２２】
従って、二重環蛍光ランプ３０を装着する際には、二重環蛍光ランプ３０を導入部４１ｃ、４２ｃに押し付けて外側支持片４１および内側支持片４２を開いて、ランプ保持部４１ｂ、４２ｂに収容する。また、二重環蛍光ランプ３０を取り外す際には、外側支持片４１および内側支持片４２を開きながら二重環蛍光ランプ３０を引き出す。
【００２３】
図２に示すように、外側支持片４１のランプ保持部４１ｂは、二重環蛍光ランプ３０の外側ランプ３１の外径に対応した大きさの部分円弧状をしており、外側ランプ３１を外側から保持する。また、内側支持片４２のランプ保持部４２ｂは、内側ランプ３２の外径に対応した大きさの部分円弧状をしており、内側ランプ３２を内側から保持する。両ランプ保持部４１ｂ、４２ｂは支持部４１ａ、４２ａの弾性力により常時互いに接近する方向（図２中矢印で表示）へ付勢されていて、それぞれランプ３１、３２を保持する。
【００２４】
また、外側支持片４１の外側ランプ３１に対する掛り代の範囲Ｒ１と、内側支持片４２の内側ランプ３２に対する掛り代の範囲Ｒ２とは非対称なっている。ここで掛り代の範囲が非対称とは、掛り代の範囲の長さが異なる場合あるいは掛り代の位置が異なる場合が考えられる。図２においては、掛り代の範囲の長さが異なる場合、すなわち、Ｒ１≠Ｒ２の場合を示している。
【００２５】
以上、説明した第１実施形態にかかる照明器具１０によれば、器具本体２０内において反射板２６の前方に二重環蛍光ランプ３０を支持するランプ支持バネ４０は、二重環蛍光ランプ３０の外側ランプ３１を外側から挟持する外側支持片４１と、内側ランプ３２を内側から挟持する内側支持片４２とを有する。そして、外側支持片４１の外側ランプ３１に対する掛り代の範囲Ｒ１と内側支持片４２の内側ランプ３２に対する掛り代の範囲Ｒ２とが非対称となっているので、ランプ脱着性能を損なうことなく、ランプ保持力を増すことができる。これにより、別途部品を用いることなく、輸送時等の振動や落下による衝撃によって二重環蛍光ランプ３０が脱落するのを防止することができる。
【００２６】
（第２実施形態）
次に、本発明に係る第２実施形態の照明器具を図３に示す。なお、前述した第１実施形態にかかる照明器具１０と共通する部位には同じ符号を付して、重複する説明を省略することとする。
図３に示すように、第２実施形態の照明器具１０Ｂでは、外側支持片４１および内側支持片４２のうちの一方、ここでは例えば外側支持片４１のランプ保持部４１ｂが外側ランプ３１の頂上３１ａ付近まで延在し、他方である内側支持片４２のランプ保持部４２ｂは内側ランプ３２の頂上３２ａ付近まで延在していない。
【００２７】
以上、説明した第２実施形態の照明器具１０Ｂによれば、外側支持片４１は外側ランプ３１の頂上３１ａ付近まで延在し、内側支持片４２は内側ランプ３２の頂上３２ａ付近まで延在していないので、ランプ脱着性能を損なうことなくランプ保持力を増すことができ、別途部品を用いることなく輸送時等の振動や落下による衝撃によって二重環蛍光ランプ３０が脱落するのを防止することができる。
【００２８】
（第３実施形態）
次に、本発明に係る第３実施形態の照明器具を図４に示す。なお、前述した第１実施形態にかかる照明器具１０および第２実施形態にかかる照明器具１０Ｂと共通する部位には同じ符号を付して、重複する説明を省略することとする。
【００２９】
図４に示すように、第３実施形態の照明器具１０Ｃでは、ランプ支持バネ４０（４０Ｂ、４０Ｃ）を複数個有し、外側支持片４１の掛り代の範囲Ｒ１と内側支持片４２の掛り代の範囲Ｒ２が他のランプ支持バネ４０Ｂとは反対のランプ支持バネ４０Ｃを少なくとも１個有している。
【００３０】
掛り代の範囲Ｒ１、Ｒ２が反対とは、例えば、次のような場合をいう。図４（Ｂ）に示すように、ランプ支持バネ４０Ｂでは、外側支持片４１の掛り代の範囲Ｒ１が外側ランプ３１の頂上３１ａまで延び、内側支持片４２の掛り代の範囲Ｒ２は内側ランプ３２の頂上３２ａまで延びていない。一方、図４（Ｃ）に示すように、ランプ支持バネ４０Ｃでは、外側支持片４１の掛り代の範囲Ｒ１は外側ランプ３１の頂上３１ａまで延びておらず、内側支持片４２の掛り代の範囲Ｒ２は内側ランプ３２の頂上３２ａまで延びている。
【００３１】
以上、説明した第３実施形態の照明器具１０Ｃによれば、複数個のランプ支持バネ４０（４０Ｂ、４０Ｃ）のうち、少なくとも１個のランプ支持バネ４０Ｃでは、外側支持片４１の掛り代の範囲Ｒ１と内側支持片４２の掛り代の範囲Ｒ２が、他のランプ支持バネ４０Ｂとは反対になっているので、個々のランプ支持バネ４０の掛り代が少なくても、全体として掛り代を確保することができ、ランプ脱着性能を損なうことなく、ランプ保持力を増すことができる。
【００３２】
なお、本発明の照明器具は、前述した各実施形態に限定されるものでなく、適宜な変形、改良等が可能である。
例えば、前述した各実施形態におけるランプ支持バネ４０の個数および配置は一例であり、本発明はこれ以外のランプ支持バネ４０の個数および配置にも適用可能である。
【符号の説明】
【００３３】
１０  照明器具
２０  器具本体
２６  反射板
３０  二重環蛍光ランプ
３１  外側ランプ（ガラス管）
３１ａ  外側ランプの頂上（ガラス管の頂上）
３２  内側ランプ（ガラス管）
３２ａ  内側ランプの頂上（ガラス管の頂上）
４０、４０Ｂ、４０Ｃ  ランプ支持バネ
４１  外側支持片
４２  内側支持片
Ｒ１、Ｒ２  掛り代の範囲
【図１】
2011154812.tif 000003
【図２】
2011154812.tif 000004
【図３】
2011154812.tif 000005
【図４】
2011154812.tif 000006
【図５】
2011154812.tif 000007